(57)【要約】【課題】エレベータ制御装置のインバータ装置のスイッチング素子の寿命進行や放熱性能低下による破損を未然に防止する。【解決手段】実施形態によれば、交流電源からの交流電力を直流電力に変換する整流回路と、整流回路で変換された直流電力の脈動を平滑化する平滑コンデンサと、平滑化された直流電力を可変電圧可変周波数の交流電力に変換して出力するインバータと、インバータから出力された交流電力で駆動して乗りかごを昇降させる電動機と、インバータを空冷するためのファンと、インバータ装置内の素子の電圧を測定する電圧測定手段と、インバータ内のスイッチング素子の診断運転開始後、電圧測定手段により測定した電圧値がインバータ内のスイッチング素子の異常を示す所定の条件を満たした場合に、ファンによる空冷能力が向上するようにファンの回転数を制御するファン制御手段とをもつ。【選択図】      図１
2013023357.tif 000002
【特許請求の範囲】
【請求項１】
交流電源からの交流電力を直流電力に変換する整流回路と、
前記整流回路で変換された直流電力の脈動を平滑化する平滑コンデンサと、
前記平滑化された直流電力を可変電圧可変周波数の交流電力に変換して出力するインバータと、
前記インバータから出力された交流電力で駆動して乗りかごを昇降させる電動機と、
前記インバータを空冷するためのファンと、
前記インバータ装置内の素子の電圧を測定する電圧測定手段と、
前記インバータ内のスイッチング素子の診断運転開始後、前記電圧測定手段により測定した電圧値が前記インバータ内のスイッチング素子の異常を示す所定の条件を満たした場合に、前記ファンによる空冷能力が向上するように前記ファンの回転数を制御するファン制御手段と
を備えたことを特徴とするエレベータ制御装置。
【請求項２】
前記インバータ内のスイッチング素子に印加するゲート−エミッタ間の電圧が増加するように可変する印加電圧切り替え手段をさらに備え、
前記電圧測定手段は、
前記印加電圧切り替え手段による増加後の前記インバータ装置内の素子の電圧を測定する
ことを特徴とする請求項１に記載のエレベータ制御装置。
【請求項３】
前記インバータの温度を測定する温度測定手段をさらに備え、
前記ファン制御手段は、
前記電圧測定手段により測定した電圧値に対し、前記温度測定手段による測定結果で示される温度により示される前記インバータ内のスイッチング素子の電圧変化分を減算した電圧値が、前記インバータ内のスイッチング素子の異常を示す所定の条件を満たした場合に、前記ファンによる空冷能力が向上するように前記ファンの回転数を制御する
ことを特徴とする請求項１に記載のエレベータ制御装置。
【請求項４】
交流電源からの交流電力を直流電力に変換する整流回路と、
前記整流回路で変換された直流電力の脈動を平滑化する平滑コンデンサと、
前記平滑化された直流電力を可変電圧可変周波数の交流電力に変換して出力するインバータと、
前記インバータから出力された交流電力で駆動して乗りかごを昇降させる電動機と、
前記インバータを空冷するためのファンと、
エレベータの通常運転時に前記インバータ装置内の素子の電圧を測定する電圧測定手段と、
前記電圧測定手段により測定した電圧値が前記インバータ内のスイッチング素子の異常を示す所定のしきい値以上である場合に、前記ファンによる空冷能力が向上するように前記ファンの回転数を制御するファン制御手段と
を備えたことを特徴とするエレベータ制御装置。
【請求項５】
前記電圧測定手段により測定した電圧値が前記インバータ内のスイッチング素子の保護を要する所定の条件を満たした場合に、前記インバータ内のスイッチング素子のキャリア周波数を減少させる周波数変更手段と、
前記周波数変更手段による周波数減少後に、前記乗りかごの最大許容荷重値および速度の少なくとも一方を減少させて当該乗りかごの運転制御を継続する制御手段と
をさらに備えたことを特徴とする請求項１に記載のエレベータ制御装置。
【請求項６】
前記ファン制御手段は、
前記インバータ内のスイッチング素子の診断運転開始後、前記電圧測定手段により測定した電圧値と、エレベータ設置時において前記電圧測定手段により測定した電圧値とを比較し、前記診断運転開始後に前記測定した電圧値とエレベータ設置時において前記測定した電圧値との差分が、前記インバータ内のスイッチング素子の異常を示す所定の条件を満たした場合に、前記ファンによる空冷能力が向上するように前記ファンの回転数を制御する
ことを特徴とする請求項１に記載のエレベータ制御装置。
【請求項７】
前記電圧測定回路は、
前記インバータ内のスイッチング素子に所定のコレクタ電流を流した際における当該素子のコレクタ−エミッタ間電圧を測定する
ことを特徴とする請求項１に記載のエレベータ制御装置。
【請求項８】
前記電圧測定回路は、
前記インバータ内のスイッチング素子に所定のコレクタ電流を流した際における当該スイッチング素子に並列接続されるダイオードの順電圧を測定する
ことを特徴とする請求項１に記載のエレベータ制御装置。
【請求項９】
エレベータ設置時において前記電圧測定手段により測定した電圧値を初期値として記憶する記憶手段をさらに備え、
前記ファン制御手段は、
前記電圧測定手段により測定した電圧値と前記初期値との差分が、前記インバータ内のスイッチング素子の異常を示す所定の条件を満たした場合に、前記ファンによる空冷能力が向上するように前記ファンの回転数を制御する
ことを特徴とする請求項１に記載のエレベータ制御装置。
【発明の詳細な説明】
【技術分野】
【０００１】
本発明の実施形態は、発熱部品の冷却機能を有するエレベータ制御装置に関する。
【背景技術】
【０００２】
エレベータ制御装置のインバータ装置に搭載しているスイッチング素子に電流を通電すると当該スイッチング素子が発熱する。スイッチング素子における接続物質の熱膨張係数には差があるため、その発熱量、および当該スイッチング素子の温度変化の繰り返しによってスイッチング素子内部のはんだ接合部に熱応力がかかることにより当該接合部が脆化して、素子破損に至る場合がある。
【０００３】
このため、スイッチング素子の接合部の脆化度合いを予測するために、スイッチング素子の温度を温度センサによって検出し、この温度が所定の閾値を超えるか否かを常時監視している。
【先行技術文献】
【特許文献】
【０００４】
【特許文献１】特開２００７−２８７４１号公報
【発明の概要】
【発明が解決しようとする課題】
【０００５】
しかし、インバータ装置内のスイッチング素子の温度を測定しても、素子内部の放熱性能の変化や寿命進行といった当該素子の特性の異常を正確に検出することはできないため、スイッチング素子の寿命進行や放熱性能の低下による当該スイッチング素子の破損を未然に防止することは困難である。
【０００６】
よって、スイッチング素子の一般的な寿命と見込まれる所定の期間が経過した際、もしくは定期点検の際に、このスイッチング素子が実際に破損しているか否かに関わらず保守員が当該スイッチング素子の交換を行なうことなどして対処しており、交換に係る手間やコストが多大なものとなっている。
【０００７】
本発明が解決しようとする課題は、インバータ装置のスイッチング素子の寿命進行や放熱性能低下による破損を未然に防止することが可能になるエレベータ制御装置を提供することにある。
【課題を解決するための手段】
【０００８】
実施形態によれば、交流電源からの交流電力を直流電力に変換する整流回路と、整流回路で変換された直流電力の脈動を平滑化する平滑コンデンサと、平滑化された直流電力を可変電圧可変周波数の交流電力に変換して出力するインバータと、インバータから出力された交流電力で駆動して乗りかごを昇降させる電動機と、インバータを空冷するためのファンとをもつ。また、この実施形態によれば、インバータ装置内の素子の電圧を測定する電圧測定手段と、インバータ内のスイッチング素子の診断運転開始後、電圧測定手段により測定した電圧値がインバータ内のスイッチング素子の異常を示す所定の条件を満たした場合に、ファンによる空冷能力が向上するようにファンの回転数を制御するファン制御手段とをもつ。
【０００９】
また、別の実施形態によれば、交流電源からの交流電力を直流電力に変換する整流回路と、整流回路で変換された直流電力の脈動を平滑化する平滑コンデンサと、平滑化された直流電力を可変電圧可変周波数の交流電力に変換して出力するインバータと、インバータから出力された交流電力で駆動して乗りかごを昇降させる電動機と、インバータを空冷するためのファンとをもつ。また、この実施形態によれば、エレベータの通常運転時にインバータ装置内の素子の電圧を測定する電圧測定手段と、電圧測定手段により測定した電圧値がインバータ内のスイッチング素子の異常を示す所定のしきい値以上である場合に、ファンによる空冷能力が向上するようにファンの回転数を制御するファン制御手段とをもつ。
【図面の簡単な説明】
【００１０】
【図１】第１の実施形態におけるエレベータ制御装置の電力変換部を特記した構成例を示す図。
【図２】第１の実施形態におけるエレベータ制御装置のインバータ装置のスイッチング素子の電圧の初期値と寿命進行時の値の一例を示す図。
【図３】第１の実施形態におけるエレベータ制御装置のインバータ装置のスイッチング素子の空冷のための処理動作の一例を示すフローチャート。
【図４】第２の実施形態におけるエレベータ制御装置の電力変換部を特記した構成例を示す図。
【図５】第２の実施形態におけるエレベータ制御装置のインバータ装置のスイッチング素子の電圧の初期値と寿命進行時の値の一例を示す図。
【図６】第２の実施形態におけるエレベータ制御装置のインバータ装置のスイッチング素子の空冷のための処理動作の一例を示すフローチャート。
【図７】第３の実施形態におけるエレベータ制御装置の電力変換部を特記した構成例を示す図。
【図８】第３の実施形態におけるエレベータ制御装置のインバータ装置のスイッチング素子の空冷のための処理動作の一例を示すフローチャート。
【図９】第４の実施形態におけるエレベータ制御装置の電力変換部を特記した構成例を示す図。
【図１０】第４の実施形態におけるエレベータ制御装置のインバータ装置のスイッチング素子の空冷のための処理動作の一例を示すフローチャート。
【図１１】第５の実施形態におけるエレベータ制御装置の電力変換部を特記した構成例を示す図。
【図１２】第５の実施形態におけるエレベータ制御装置のインバータ装置のスイッチング素子の空冷のための処理動作の一例を示すフローチャート。
【発明を実施するための形態】
【００１１】
以下、実施の形態について、図面を参照して説明する。  
（第１の実施形態）
まず、第１の実施形態について説明する。  
本実施形態は、エレベータ制御装置のインバータ装置の素子の電圧を測定し、この測定結果が、インバータ装置のスイッチング素子の寿命進行や放熱能力低下を示す所定の電圧となった場合に、ファンの回転数を増加させてスイッチング素子の空冷能力を向上させることで、スイッチング素子の破損を未然に防止することを特徴とするものである。
【００１２】
図１は、第１の実施形態におけるエレベータ制御装置の電力変換部を特記した構成例を示す図である。  
まず、このエレベータでは、建屋側配電系統の商用三相交流電源１０１にコンバータ装置１０２が接続される。コンバータ装置１０２はダイオードで構成され、商用三相交流電源１０１から出力される三相交流電力を直流電力に変換する。コンバータ装置１０２の直流出力ライン間には平滑コンデンサ１０３が設けられる。平滑コンデンサ１０３はコンバータ装置１０２で変換された直流電力に含まれる脈動分（リプル）を平滑化する。
【００１３】
コンバータ装置１０２からみた平滑コンデンサ１０３の後段にはインバータ装置１０４が設けられる。インバータ装置１０４はダイオードおよびスイッチング素子、例えばトランジスタで構成され、平滑コンデンサ１０３で平滑化された直流電力をＰＷＭ（Pulse Width Modulation）制御により可変電圧可変周波数の交流電力に変換して電動機１０５に供給する。
【００１４】
インバータ装置１０４の近傍には当該インバータ装置１０４内のスイッチング素子を空冷するためのファン（ＦＡＮ）１０８が設けられる。  
インバータ装置１０４内のスイッチング素子を空冷するのは、インバータ装置１０４より電動機１０５へ電流を供給する際、インバータ装置１０４に搭載しているスイッチング素子が通電電流量に比例して発熱するためである。
【００１５】
また、電動機１０５の回転軸にはシーブが取り付けられており、そこに巻き掛けられたロープを介して乗りかご１０６とカウンタウェイト１０７が昇降路内をつるべ式に昇降動作する。電動機１０５は、インバータ装置１０４から出力された交流電力で駆動して乗りかご１０６を昇降させる。
【００１６】
また、本実施形態におけるエレベータ制御装置は、電圧測定回路１０９、比較回路１１０、ファン制御回路１１１、ファン制御設定回路１１２、電圧設定回路１１３、記憶装置１１４、制御用マイコン１１５、異常発報回路１１６、遠隔点検回路１１７を備える。
【００１７】
特に、電圧測定回路１０９、比較回路１１０、電圧設定回路１１３、記憶装置１１４は、インバータ装置１０４の素子の電圧がスイッチング素子の寿命進行や放熱能力低下を示す電圧であるか否かを判定する機能を実現するための構成である。
【００１８】
電圧測定回路１０９は、インバータ装置１０４に搭載されるスイッチング素子のコレクタ−エミッタ間電圧またはインバータ装置１０４内のダイオードの順電圧を測定する。  
記憶装置１１４は、初期時、つまりエレベータ設置時における電圧測定回路１０９によるインバータ装置１０４内の素子の電圧の測定結果を初期値として記憶する。  
電圧設定回路１１３は、インバータ装置１０４に搭載されているスイッチング素子の寿命進行や放熱能力低下の判定基準であるしきい値電圧を内部メモリに記憶する。
【００１９】
このしきい値電圧は、電圧測定回路１０９による測定値と記憶装置１１４に記憶された初期値との差分のしきい値であり、電圧測定回路１０９による測定値と記憶装置１１４に記憶された初期値との差分が当該しきい値以上となった場合に、インバータ装置１０４に搭載されているスイッチング素子が寿命進行や放熱能力低下にある事を示すものである。
【００２０】
比較回路１１０は、エレベータ設置後における、インバータ装置１０４に搭載されているスイッチング素子の寿命進行や放熱能力低下の有無を判定するための所定のタイミングにおいて、電圧測定回路１０９により測定した電圧と記憶装置１１４に記憶された初期値との差分値を求め、さらに、この差分値と電圧設定回路１１３に記憶されたしきい値電圧とを比較する。
【００２１】
ファン制御回路１１１は、ファン１０８の回転数を制御する。  
ファン制御設定回路１１２は、ファン制御回路１１１による制御パラメータであるファン回転数を内部メモリに記憶する。このファン回転数は、インバータ装置１０４に搭載されているスイッチング素子が寿命進行や放熱能力低下にない場合のためのファン回転数および寿命進行や放熱能力低下にある場合のためのファン回転数をそれぞれ含む。このように、２種類のファン回転数を記憶するのは、インバータ装置の素子の電圧の測定結果が、インバータ装置のスイッチング素子の寿命進行や放熱能力低下を示す所定の電圧となった場合に、ファンの回転数を増加させてスイッチング素子の空冷能力を向上させるためである。
【００２２】
制御用マイコン１１５は、平滑コンデンサ１０３で平滑化された直流電力をＰＷＭ制御することで可変電圧可変周波数の交流電力に変換して電動機１０５に供給することで、乗りかご１０６の昇降を制御する。
【００２３】
遠隔点検回路１１７は、昇降路外の建物内監視室や遠隔監視センタからの指示信号に従い、定期点検時またはインバータ装置４内のスイッチング素子の点検のための所定のタイミングで、所定の寿命診断運転、例えば、通常運転時より低い所定の速度および所定の荷重条件における最下階と最上階との間の運転を制御する。
【００２４】
異常発報回路１１６は、比較回路１１０による比較の結果が、インバータ装置１０４に搭載されているスイッチング素子の寿命進行や放熱能力低下を示す場合に、昇降路外の建物内監視室や遠隔監視センタへの異常発報を行なう。
【００２５】
図２は、第１の実施形態におけるエレベータ制御装置のインバータ装置のスイッチング素子の電圧の初期値と寿命進行時の値の一例を示す図である。  
図２に示すように、インバータ装置１０４内のスイッチング素子に印加するゲートーエミッタ間電圧Ｖｇｅの一定条件のもと、初期状態においてインバータ装置１０４内のスイッチング素子に所定のコレクタ電流Ｉｃを通電した際の、当該スイッチング素子のコレクターエミッタ間電圧Ｖｃｅの初期値ａに対し、スイッチング素子の寿命進行時や放熱能力低下時において当該スイッチング素子に前述したコレクタ電流Ｉｃを通電した際のコレクターエミッタ間電圧Ｖｃｅの値ｂの方が高い。
【００２６】
また、インバータ装置１０４内のスイッチング素子に印加するゲートーエミッタ間電圧Ｖｇｅの一定条件のもとにおける、初期状態においてインバータ装置１０４内のスイッチング素子に所定のコレクタ電流Ｉｃを通電した際のインバータ装置１０４内のダイオード順電圧と、スイッチング素子の放熱能力低下時や寿命進行時において当該スイッチング素子に前述した所定のコレクタ電流Ｉｃを通電した際のダイオード順電圧との関係も同様である。
【００２７】
そこで、本実施形態では、初期状態であるエレベータ設置時にインバータ装置１０４内の素子の電圧であるスイッチング素子のコレクターエミッタ間電圧Ｖｃｅまたはダイオード順電圧を測定しておき、かつ、設置後においてインバータ装置１０４内の素子の電圧を再度測定して、これらの測定結果を比較することで、インバータ装置１０４内のスイッチング素子の特性異常、つまり寿命進行や放熱性能低下の有無を判定する。
【００２８】
以後、インバータ装置１０４内のスイッチング素子の特性異常の検出のための測定値が当該スイッチング素子のコレクタ−エミッタ間電圧である場合の動作について説明するが、インバータ装置のスイッチング素子の特性異常の検出のための測定値がインバータ装置１０４内のダイオード順電圧である場合も同様の動作となる。
【００２９】
図３は、第１の実施形態におけるエレベータ制御装置のインバータ装置のスイッチング素子の空冷のための処理動作の一例を示すフローチャートである。ここで説明する動作のうち、本実施形態における第１の特徴である、インバータ装置１０４のスイッチング素子の電圧の測定結果が、インバータ装置のスイッチング素子の寿命進行や放熱能力低下を示す所定の電圧となったか否かを判定する動作は以下のステップＳ１からＳ５までの動作である。また、第２の特徴である、前述した測定結果がスイッチング素子の寿命進行や放熱能力低下を示す所定の電圧となった場合に、ファンの回転数を増加させてスイッチング素子の空冷能力を向上させることで、スイッチング素子の破損を未然に防止するための動作は、以下のステップＳ６およびＳ７の動作である。
【００３０】
まず、初期状態であるエレベータ設置時において、制御用マイコン１１５は、遠隔点検回路１１７からの指示信号にしたがって、乗りかごの前述した所定の寿命診断運転を行なう。この寿命診断運転において、電圧測定回路１０９は、インバータ装置１０４に搭載しているスイッチング素子に所定のゲートーエミッタ間電圧を印加して所定のコレクタ電流を通電した時のスイッチング素子のコレクタ−エミッタ間電圧を測定する。この測定結果は、初期値として比較回路１１０を介して記憶装置１１４に記憶される。
【００３１】
そして、制御用マイコン１１５は、定期点検時またはインバータ装置４内のスイッチング素子の寿命進行の点検のための所定のタイミングで遠隔点検回路１１７から出力された指示信号を入力すると、運転モードを呼び登録に応じた運転である通常運転モードから寿命診断運転モードに切り替えて設定し（ステップＳ１）、乗りかご１０６の前述した所定の寿命診断運転を開始する（ステップＳ２）。
【００３２】
この寿命診断運転において、電圧測定回路１０９は、初期状態と同じゲートーエミッタ間電圧およびコレクタ電流の条件の下、インバータ装置１０４に搭載しているスイッチング素子のコレクタ−エミッタ間電圧を測定し、この値を測定値として比較回路１１０に出力する（ステップＳ３）。  
比較回路１１０は、記憶装置１１４に記憶されている、スイッチング素子のコレクタ−エミッタ間電圧の初期値を読み出す（ステップＳ４）。
【００３３】
次に、比較回路１１０は、電圧測定回路１０９により測定した電圧値と記憶装置１１４に記憶された初期値との差分値を求め、この差分値と電圧設定回路１１３に記憶されたしきい値電圧とを比較して、スイッチング素子のコレクタ−エミッタ間電圧の測定値と初期値との差分が所定値であるしきい値電圧以上であるか否かを判定する（ステップＳ５）。この判定を行なうことにより、スイッチング素子の寿命進行や放熱能力低下がみられるか否かを判定することができる。
【００３４】
比較回路１１０は、スイッチング素子のコレクタ−エミッタ間電圧の測定値と初期値との差分が所定値未満である場合は（ステップＳ５のＮＯ）、スイッチング素子の寿命進行や放熱能力低下がみられないとの判定結果を制御用マイコン１１５に出力する。  
制御用マイコン１１５は、この判定結果を入力した場合、運転モードを通常運転モードに戻す。これにより、乗りかご１０６の運転が通常運転に復帰する（ステップＳ８）。
【００３５】
また、比較回路１１０は、スイッチング素子のコレクタ−エミッタ間電圧の測定値と初期値との差分が所定値以上である場合は（ステップＳ５のＹＥＳ）、スイッチング素子の寿命進行や放熱能力低下がみられるとの判定結果を制御用マイコン１１５を介して異常発報回路１１６に出力し、また、ファン制御回路１１１にも出力する。
【００３６】
ファン制御回路１１１は、この判定結果を入力すると、ファン制御設定回路１１２に記憶される、インバータ装置１０４内のスイッチング素子の寿命進行や放熱能力低下時におけるファン回転数をファン１０８の制御パラメータとして読み出し、この制御パラメータにしたがって、判定前に比して高い回転数でファン１０８を駆動する（ステップＳ６）。
【００３７】
これにより、判定前に比して、インバータ装置１０４に搭載されているスイッチング素子の空冷能力が向上するので、このスイッチング素子の寿命を延ばしつつ放熱能力を改善し、当該スイッチング素子の破損を未然に防止することができる。
【００３８】
また、異常発報回路１１６は、比較回路１１０からの判定結果を入力すると、建物内の監視室や遠隔監視センタに対し、インバータ装置１０４に搭載されているスイッチング素子の特性異常を示す異常発報を行なう（ステップＳ７）。
【００３９】
このような異常発報を行なうことで、管理者は、インバータ装置１０４に搭載しているスイッチング素子の特性異常を早期に発見することができ、保守員によるインバータ装置１０４の修理や交換を適切なタイミングで行なうことが可能となる。
【００４０】
以上のように、第１の実施形態におけるエレベータ制御装置では、エレベータ設置時のインバータ装置の素子の電圧の測定結果とエレベータ設置後のインバータ装置の素子の電圧とを比較することで、インバータ装置のスイッチング素子の寿命進行や放熱能力低下を定期的かつ早期に検出し、かつ、熱異常によりスィッチング素子が破損する前にスイッチング素子の空冷能力を向上させることができるので、インバータ装置のスイッチング素子の破損を未然に防止することができる。
【００４１】
また、本実施形態では、エレベータ制御装置のインバータ装置１０４内の素子の電圧の測定値と記憶装置１１４に記憶される初期値との差分が所定値であるしきい値電圧以上である場合に、スイッチング素子の寿命進行や放熱能力低下がみられるか否かを判定する構成としたが、これに限らず、素子の電圧の測定値と初期値の比較を行なう代わりに、エレベータ制御装置のインバータ装置１０４内の素子の電圧の測定値が、スイッチング素子の寿命進行や放熱能力低下が明らかである所定の値以上である場合に、スイッチング素子の寿命進行や放熱能力低下がみられると判定する構成としてもよい。
【００４２】
（第２の実施形態）
次に、第２の実施形態について説明する。なお、以下実施形態におけるエレベータの構成のうち図１に示したものと同一部分の説明は省略する。  
本実施形態は、インバータ装置内の素子の特性異常の検出の精度向上のために、寿命診断時においてゲート−エミッタ間電圧を増加させた上で、第１の実施形態で説明したインバータ装置内の素子の電圧を測定することを特徴とする。
【００４３】
図４は、第２の実施形態におけるエレベータ制御装置の電力変換部を特記した構成例を示す図である。  
図５は、第２の実施形態におけるエレベータ制御装置のインバータ装置のスイッチング素子の電圧の初期値と寿命進行時の値の一例を示す図である。  
本実施形態では、第１の実施形態で説明した構成と比較して、ゲート電圧設定回路１１８およびゲート電圧切替え回路１１９をさらに備える。
【００４４】
図５に示すように、スイッチング素子のコレクターエミッタ間電圧Ｖｃｅの初期値ａ、寿命進行時の値ｂ、初期値ａ´、寿命進行時の値ｂ´を考える。  
初期値ａは、初期状態においてインバータ装置１０４内のスイッチング素子に所定のコレクタ電流Ｉｃを通電し、かつ、スイッチング素子にゲート−エミッタ間電圧Ｖｇｅの通常運転時の値Ａを印加した際の、スイッチング素子のコレクターエミッタ間電圧Ｖｃｅの値である。
【００４５】
寿命進行時の値ｂは、スイッチング素子の放熱能力低下時や寿命進行時においてインバータ装置１０４内のスイッチング素子に前述した所定のコレクタ電流Ｉｃを通電し、かつ、スイッチング素子にゲート−エミッタ間電圧Ｖｇｅの前述した通常運転時の値Ａを印加した際の、スイッチング素子のコレクターエミッタ間電圧Ｖｃｅの値である。
【００４６】
また、初期値ａ´は、初期状態においてインバータ装置１０４内のスイッチング素子に所定のコレクタ電流Ｉｃを通電し、かつ、スイッチング素子にゲート−エミッタ間電圧Ｖｇｅの値Ｂ（＞Ａ）を印加した際の、スイッチング素子のコレクターエミッタ間電圧Ｖｃｅの値である。図５に示すように、この初期値ａ´は、ゲート−エミッタ間電圧Ｖｇｅの通常運転時の値Ａを印加した際の、スイッチング素子のコレクターエミッタ間電圧Ｖｃｅの初期値ａより高い。
【００４７】
寿命進行時の値ｂ´は、スイッチング素子の放熱能力低下時や寿命進行時においてインバータ装置１０４内のスイッチング素子に前述した所定のコレクタ電流Ｉｃを通電し、かつ、スイッチング素子にゲート−エミッタ間電圧Ｖｇｅの前述した値Ｂを印加した際の、スイッチング素子のコレクターエミッタ間電圧Ｖｃｅの値である。図５に示すように、この寿命進行時の値ｂ´は、スイッチング素子にゲート−エミッタ間電圧Ｖｇｅの前述した通常運転時の値Ａを印加した際の、スイッチング素子のコレクターエミッタ間電圧Ｖｃｅ寿命進行時の値ｂより高い。
【００４８】
ゲート−エミッタ間電圧Ｖｇｅの値Ａの印加時のコレクターエミッタ間電圧Ｖｃｅの初期値ａと寿命進行時の値ｂとの差分ａ−ｂ、および、ゲート−エミッタ間電圧Ｖｇｅの値ｂの印加時のコレクターエミッタ間電圧Ｖｃｅの初期値ａ´と寿命進行時の値ｂ´との差分ａ´−ｂ´を考えると、差分ａ´−ｂ´の方が差分ａ−ｂより大きい。よって、差分ａ´−ｂ´をもとにスイッチング素子の特性異常の有無の判定を行なう場合の判定精度は、差分ａ−ｂをもとにスイッチング素子の特性異常の有無の判定を行なう場合の判定精度に比して高い。
【００４９】
そこで、本実施形態では、通常運転時においてインバータ装置１０４内のスイッチング素子のコレクターエミッタ間電圧を測定する際に当該スイッチング素子に印加するゲート−エミッタ間電圧の値に対し、エレベータ設置時や設置後にスイッチング素子の寿命進行や放熱能力低下の有無の判定を行なうための運転である寿命診断運転時においてスイッチング素子のコレクターエミッタ間電圧を測定する際に当該スイッチング素子に印加するゲート−エミッタ間電圧の値を高くする。
【００５０】
つまり、本実施形態では、通常運転時では、ゲート電圧切り替え回路１１９は、インバータ装置１０４内のスイッチング素子に印加するゲート−エミッタ間電圧を図５に示した通常用の値Ａに切り替え、寿命診断運転時では、ゲート電圧切り替え回路１１９は、当該スイッチング素子に印加するゲート−エミッタ間電圧を図５に示した値Ｂ（＞Ａ）に切り替える。
【００５１】
ゲート電圧設定回路１１８は、通常運転時においてインバータ装置１０４内のスイッチング素子に印加するゲート−エミッタ間電圧の値Ａと、寿命診断運転時において当該スイッチング素子に印加するゲート−エミッタ間電圧の値Ｂ（＞Ａ）とを内部メモリにそれぞれ記憶する。
【００５２】
ゲート電圧切替え回路１１９は、現在の運転が通常運転時にあるか寿命診断運転時にあるかによって、インバータ装置１０４に搭載しているスイッチング素子に印加するゲート−エミッタ間電圧を通常運転時の値Ａと寿命診断運転時の値Ｂとの間で切り替える。
【００５３】
図６は、第２の実施形態におけるエレベータ制御装置のインバータ装置のスイッチング素子の空冷のための処理動作の一例を示すフローチャートである。以後説明する動作のうち、第２の実施形態における特徴的な動作である、インバータ装置１０４内のスイッチング素子のゲート−エミッタ間電圧を増加させた上で、当該スイッチング素子のコレクターエミッタ間電圧を測定して、スイッチング素子の寿命進行や放熱能力低下がみられるか否かを判定する動作は、以下のステップＳ２１からＳ２４の動作である。
【００５４】
また、本実施形態では、初期状態であるエレベータ設置時において、制御用マイコン１１５は、遠隔点検回路１１７からの指示信号にしたがって、乗りかごの前述した所定の寿命診断を行なう。この寿命診断運転において、電圧測定回路１０９は、インバータ装置１０４に搭載しているスイッチング素子に所定のコレクタ電流が通電され、かつ、インバータ装置１０４内のスイッチング素子に印加するゲート−エミッタ間電圧を図５に示した値Ｂ（＞Ａ）とした時のスイッチング素子のコレクタ−エミッタ間電圧を測定する。この測定結果は、初期値として比較回路１１０を介して記憶装置１１４に記憶される。
【００５５】
制御用マイコン１１５は、定期点検時またはインバータ装置４内のスイッチング素子の寿命進行の点検のための所定のタイミングで遠隔点検回路１１７から出力された指示信号を入力すると、運転モードを通常運転モードから寿命診断運転モードに切り替えて設定する（ステップＳ１）。
【００５６】
制御用マイコン１１５は、この設定を示す信号をゲート電圧切り替え回路１１９に出力する。そして、第２の実施形態における特徴的な動作として、ゲート電圧切り替え回路１１９は、インバータ装置１０４内のスイッチング素子に印加するゲート−エミッタ間電圧を、ゲート電圧設定回路１１８に記憶される、図５に示した値Ｂ（＞Ａ）に変更する（ステップＳ２１）。
【００５７】
そして、制御用マイコン１１５は、乗りかご１０６の寿命診断運転を開始する（ステップＳ２）。この寿命診断運転において、電圧測定回路１０９は、インバータ装置１０４に搭載しているスイッチング素子に所定のコレクタ電流が通電された時のスイッチング素子のコレクタ−エミッタ間電圧を測定し、この値を測定値として比較回路１１０に出力する（ステップＳ２２）。
【００５８】
比較回路１１０は、記憶装置１１４に記憶されている、スイッチング素子のコレクタ−エミッタ間電圧の初期値を読み出す（ステップＳ２３）。  
次に、比較回路１１０は、電圧測定回路１０９により測定した電圧値と記憶装置１１４に記憶された初期値（ゲート−エミッタ間電圧の値：Ｂ）との差分値を求め、この差分値と電圧設定回路１１３に記憶されたしきい値電圧とを比較して、スイッチング素子のコレクタ−エミッタ間電圧の測定値と初期値との差分が所定値であるしきい値電圧以上であるか否かを判定する（ステップＳ２４）。
【００５９】
ただし、本実施形態では、電圧設定回路１１３に記憶されるしきい値電圧は、スイッチング素子に印加するゲート−エミッタ間電圧が値Ｂである場合におけるコレクタ−エミッタ間電圧の測定値と、ゲート−エミッタ間電圧が値Ｂである場合における記憶装置１１４に記憶されたコレクタ−エミッタ間電圧の初期値との差分のしきい値である。
【００６０】
前述したように、ゲート−エミッタ間電圧が値Ｂ（＞Ａ）である場合におけるコレクタ−エミッタ間電圧の測定値は、ゲート−エミッタ間電圧が値Ａである場合におけるコレクタ−エミッタ間電圧の測定値より大きい。また、ゲート−エミッタ間電圧が値Ｂで（＞Ａ）ある場合における記憶装置１１４に記憶されたコレクタ−エミッタ間電圧の初期値は、ゲート−エミッタ間電圧が値Ａである場合におけるコレクタ−エミッタ間電圧の初期値より大きい。よって、本実施形態において電圧設定回路１１３に記憶されるしきい値が、第１の実施形態において電圧設定回路１１３に記憶されるしきい値より高い事は言うまでもない。
【００６１】
比較回路１１０は、スイッチング素子のコレクタ−エミッタ間電圧の測定値と初期値との差分がしきい値未満である場合は（ステップＳ２４のＮＯ）、スイッチング素子の寿命進行や放熱能力低下がみられないとの判定結果を制御用マイコン１１５に出力する。
【００６２】
制御用マイコン１１５は、この判定結果を入力した場合、運転モードを通常運転モードに戻す。これにより、乗りかご１０６の運転が通常運転に復帰する（ステップＳ８）。  
この際、制御用マイコン１１５は、通常運転に復帰した事を示す信号をゲート電圧切り替え回路１１９に出力する。すると、ゲート電圧切り替え回路１１９は、インバータ装置１０４内のスイッチング素子に印加するゲート−エミッタ間電圧を、ゲート電圧設定回路１１８に記憶される、図５に示した値Ａに戻す。
【００６３】
また、比較回路１１０は、スイッチング素子のコレクタ−エミッタ間電圧の測定値と初期値との差分がしきい値以上である場合は（ステップＳ２４のＹＥＳ）、スイッチング素子の寿命進行や放熱能力低下がみられるとの判定結果を制御用マイコン１１５を介して異常発報回路１１６に出力し、また、この判定結果をファン制御回路１１１にも出力する。以後、第１の実施形態で説明したステップＳ６、Ｓ７の動作であるファン１０８の可変制御および異常発報がなされる。
【００６４】
以上説明したように、第２の実施形態では、初期状態であるエレベータ設置時における寿命診断運転時において、インバータ装置内のスイッチング素子に印加するゲート−エミッタ間電圧を通常運転時よりも高くなるように変更して測定したスイッチング素子の電圧と、寿命診断運転時において、インバータ装置内のスイッチング素子に印加するゲート−エミッタ間電圧を通常運転時よりも同じく高くなるように変更して測定したスイッチング素子の電圧とを比較して、この比較により得た差分が、第１の実施形態によるしきい値より大きいしきい値以上である場合に、スイッチング素子の特性異常にあると判定する。
【００６５】
よって、本実施形態では、第１の実施形態と比較して高い測定値と当該第１の実施形態と比較して高い初期値との差分、および第１の実施形態と比較して高いしきい値を用いてスイッチング素子の特性異常の有無を判定することができるので、測定誤差による、特性異常の有無を判定結果への影響を軽減することができ、判定の精度が向上する。
【００６６】
（第３の実施形態）
次に、第３の実施形態について説明する。  
本実施形態は、インバータ装置１０４のスイッチング素子の温度を測定し、この測定した温度に応じて、寿命診断運転時のインバータ装置１０４のスイッチング素子の電圧の測定値を補正することを特徴としている。  
このようは補正を行なうのは、インバータ装置１０４のスイッチング素子の電圧は、寿命進行や放熱能力低下が生じていなくても温度変化に応じて変化し、この変化した値が測定値として表れるので、この測定値をスイッチング素子の寿命進行や放熱能力低下の有無の判定にそのまま用いたのでは、当該判定が正確に行なえないからである。
【００６７】
図７は、第３の実施形態におけるエレベータ制御装置の電力変換部を特記した構成例を示す図である。  
本実施形態では、第２の実施形態で説明した構成に加え、温度センサ１２０、電圧補正設定回路１２１、電圧補正回路１２２、温度検出回路１２３をさらに備える。
【００６８】
温度センサ１２０は、インバータ装置１０４の温度を常時検出する。温度検出回路１２３は、温度センサ１２０で検出した値を読み取る。  
電圧補正回路１２２は、温度検出回路１２３により読み取った温度に応じて、電圧測定回路１０９による、インバータ装置１０４内のスイッチング素子のコレクタ−エミッタ間電圧の測定値を、所定の室温に対する温度変化による電圧のずれ分が無くなるように補正する。このずれ分の補正を行なうことにより、電圧測定回路１０９による電圧測定値は、温度変化による電圧のずれ分を減算した値に補正されるので、インバータ装置１０４のスイッチング素子の電圧が温度変化に応じて変化した値をスイッチング素子の寿命進行や放熱能力低下の有無の判定にそのまま用いてしまうことが無くなる。
【００６９】
電圧補正設定回路１２１は、温度検出回路１２３により読み取った温度に応じた、電圧測定回路１０９による、インバータ装置１０４内のスイッチング素子のコレクタ−エミッタ間電圧の測定値に対する補正値を内部メモリに記憶する。
【００７０】
図８は、第３の実施形態におけるエレベータ制御装置のインバータ装置のスイッチング素子の空冷のための処理動作の一例を示すフローチャートである。  
以後説明する動作のうち、本実施形態における特徴的な動作である、インバータ装置１０４のスイッチング素子の測定温度に応じて、スイッチング素子の電圧の測定値を補正する動作は、以下のステップＳ３１、Ｓ３２の動作である。  
本実施形態では、まず、第２の実施形態で説明したエレベータ設置時の電圧初期値の測定、およびステップＳ１、Ｓ２１、Ｓ２、Ｓ２２の動作である、寿命診断運転モードの設定、スイッチング素子に印加するゲート−エミッタ間電圧の変更、寿命診断運転の開始、スイッチング素子のコレクタ−エミッタ間の電圧の測定がなされる。
【００７１】
そして、本実施形態における特徴的な動作として、温度検出回路１２３は、温度センサ１２０で検出した値を読み取ることで、インバータ装置１０４のスイッチング素子の温度を検出する（ステップＳ３１）。
【００７２】
次に、電圧補正回路１２２は、温度検出回路１２３により読み取った温度に応じた、電圧測定回路１０９による電圧測定値に対する補正値を電圧補正設定回路１２１から読み出し、この読み出した値を電圧測定回路１０９により測定した、インバータ装置１０４のスイッチング素子のコレクタ−エミッタ間の電圧測定値に反映することで、当該電圧測定値を温度変化による電圧のずれ分を減算した値に補正して、比較回路１１０に出力する（ステップＳ３２）。これにより、インバータ装置１０４のスイッチング素子の測定温度に応じて、スイッチング素子の電圧の測定値を補正することができる。このような電圧測定値の補正は、エレベータ設置時における電圧初期値の取得のためのスイッチング素子のコレクタ−エミッタ間の電圧測定値にも予めなされるのはもちろんである。
【００７３】
以後は、第２の実施形態で説明したステップＳ２３、Ｓ２４、Ｓ６、Ｓ７、Ｓ８の動作である、電圧測定値と電圧初期値との比較によるスイッチング素子の寿命進行や放熱能力低下の有無の判定、および判定結果に応じた、ファン１０８の可変制御、異常発報または通常運転への復帰のいずれかの動作がなされる。
【００７４】
以上説明したように、第３の実施形態では、エレベータの運転が連続することなどによる、インバータ装置１０４のスイッチング素子の発熱などにより、当該素子の温度が変化した場合に応じて、インバータ装置１０４のスイッチング素子のコレクタ−エミッタ間の電圧測定値を温度変化による電圧のずれ分がなくなった値に補正した上で、スイッチング素子の寿命進行や放熱能力低下の有無の判定がなされる。よって、温度変化による電圧のずれ分がなくなった電圧測定値を用いて、スイッチング素子の寿命進行や放熱能力低下の有無の判定を行なうことができるので、当該判定をスイッチング素子の温度変化の影響を受けずに行なうことができ、判定の精度が向上する。
【００７５】
なお、この実施形態では、電圧補正回路１２２は、温度検出回路１２３により読み取った温度に応じて、電圧測定回路１０９による、インバータ装置１０４内のスイッチング素子のコレクタ−エミッタ間電圧の測定値を、所定の室温に対する温度変化による電圧のずれ分が無くなるように補正すると説明したが、これに限らず、インバータ装置１０４内のスイッチング素子からの熱が及ばない周囲温度を測定するための周囲温度センサをさらに設け、エレベータ設置時において、電圧補正回路１２２が、温度検出回路１２３により読み取った温度に応じて、電圧測定回路１０９による、インバータ装置１０４内のスイッチング素子のコレクタ−エミッタ間電圧の測定値を、周囲温度センサにより測定した温度に対する温度変化による電圧のずれ分が無くなるように補正し、また、エレベータ設置後の寿命運転診断時において、電圧補正回路１２２が、温度検出回路１２３により読み取った温度に応じて、電圧測定回路１０９による、インバータ装置１０４内のスイッチング素子のコレクタ−エミッタ間電圧の測定値を、周囲温度センサにより測定した温度に対する差分による電圧のずれ分が無くなるように補正するようにしてもよい。
【００７６】
（第４の実施形態）
次に、第４の実施形態について説明する。  
本実施形態は、前述した寿命診断運転を行なわずに、通常運転時にインバータ装置内のスイッチング素子の寿命進行や放熱能力低下の有無の判定を行なうことを特徴としている。また、この実施形態では、第１の実施形態で説明したような電圧初期値と電圧測定値との比較を行なうのでなく、通常運転時のスイッチング素子の電圧測定値が所定のしきい値以上である場合にファン１０８の回転数が増加するような可変制御を行なう。
【００７７】
図９は、第４の実施形態におけるエレベータ制御装置の電力変換部を特記した構成例を示す図である。  
本実施形態では、第１の実施形態で説明した構成と比較して、記憶装置１１４、遠隔点検回路１１７を備えない構成である。このような構成としたのは、本実施形態では、第１の実施形態で説明したような電圧初期値と、第１の実施形態で記憶装置１１４に記憶していた電圧測定値との比較を行なわないからである。
【００７８】
また、電圧設定回路１１３は、第１の実施形態のように、電圧測定値と電圧初期値との差分と比較するしきい値の代わりに、通常運転時のインバータ装置１０４の素子の電圧測定値自体と比較するしきい値電圧を内部メモリに記憶する。このしきい値は、電圧測定回路１０９による電圧測定値が当該しきい値以上となった場合に、インバータ装置１０４に搭載されているスイッチング素子が寿命進行や放熱能力低下にある事を示すものである。
【００７９】
図１０は、第４の実施形態におけるエレベータ制御装置のインバータ装置のスイッチング素子の空冷のための処理動作の一例を示すフローチャートである。  
以後説明する動作のうち、本実施形態における特徴的な動作である、通常運転時のインバータ装置内のスイッチング素子の寿命進行や放熱能力低下の有無の判定結果に応じてファン可変制御を行なう動作は、以下のステップＳ４１、Ｓ４２、Ｓ４３、Ｓ４４の動作である。  
まず、制御用マイコン１１５により通常運転が開始されると（ステップＳ４１）、この通常運転において、電圧測定回路１０９は、所定のゲートーエミッタ間電圧およびコレクタ電流の条件の下、インバータ装置１０４に搭載しているスイッチング素子のコレクタ−エミッタ間電圧を測定し、この値を測定値として比較回路１１０に出力する（ステップＳ３）。
【００８０】
比較回路１１０は、電圧設定回路１１３に記憶されている、スイッチング素子のコレクタ−エミッタ間電圧のしきい値を読み出す（ステップＳ４２）。  
次に、比較回路１１０は、電圧測定回路１０９により測定した電圧値と電圧設定回路１１３に記憶されたしきい値電圧とを比較して、スイッチング素子のコレクタ−エミッタ間電圧の測定値がしきい値電圧以上であるか否かを判定する（ステップＳ４３）。
【００８１】
比較回路１１０は、スイッチング素子のコレクタ−エミッタ間電圧の測定値がしきい値未満である場合は（ステップＳ４３のＮＯ）、スイッチング素子の寿命進行や放熱能力低下がみられないとの判定結果を制御用マイコン１１５に出力する。  
制御用マイコン１１５は、この判定結果を入力した場合、運転モードを通常運転モードに戻す。これにより、乗りかご１０６の運転が通常運転に復帰する（ステップＳ８）。
【００８２】
また、比較回路１１０は、スイッチング素子のコレクタ−エミッタ間電圧の測定値がしきい値電圧以上である場合は（ステップＳ４３のＹＥＳ）、スイッチング素子の寿命進行や放熱能力低下がみられるとの判定結果を制御用マイコン１１５を介して異常発報回路１１６に出力し、また、ファン制御回路１１１にも出力する。
【００８３】
ファン制御回路１１１は、この判定結果を入力すると、ファン制御設定回路１１２に記憶される、インバータ装置１０４に搭載されているスイッチング素子の寿命進行や放熱能力低下にある場合のためのファン回転数をファン１０８の制御パラメータとして読み出し、この制御パラメータにしたがって、判定前に比して高い回転数でファン１０８を駆動する。これにより、通常運電時において、判定前に比して、インバータ装置１０４に搭載されているスイッチング素子の寿命を延ばしつつ放熱能力を改善し、当該スイッチング素子の破損を未然に防止することができる（ステップＳ４４）。
【００８４】
そして、第１の実施形態と同様に、異常発報回路１１６は、比較回路１１０からの判定結果を入力すると、建物内の監視室や遠隔監視センタに対し、インバータ装置１０４に搭載されているスイッチング素子の特性異常を示す異常発報を行なう（ステップＳ７）。
【００８５】
以上のように、第４の実施形態におけるエレベータ制御装置では、エレベータ設置後の通常運転時のインバータ装置の素子の電圧の測定結果をもとに、インバータ装置のスイッチング素子の寿命進行や放熱能力低下を定期的かつ早期に検出し、かつ、熱異常によりスィッチング素子が破損する前に空冷能力を向上させることができるので、第１の実施形態で説明したような寿命診断運転を行なわずとも、第１の実施形態と同様に、インバータ装置のスイッチング素子の破損を未然に防止することができる。
【００８６】
（第５の実施形態）
次に、第５の実施形態について説明する。  
本実施形態は、インバータ装置のスイッチング素子の寿命進行や放熱能力低下による当該スイッチング素子の保護を要すると判定した場合に、インバータ装置のスイッチング素子のキャリア周波数を減少させ、かつ、荷重制限、速度制限を行なうことで、保守員によるインバータ装置のスイッチング素子の修理、交換がなされるまで運転制御を継続することを特徴とする。
【００８７】
図１１は、第５の実施形態におけるエレベータ制御装置の電力変換部を特記した構成例を示す図である。  
本実施形態では、第３の実施形態で説明した構成と比較して、インバータ装置のスイッチング素子の保護を要する場合に、当該スイッチング素子のキャリア周波数を減少させ、かつ、荷重制限、速度制限を行なうためのキャリア周波数設定回路１２４、キャリア周波数変更回路１２５、荷重／速度設定回路１２６、保護レベル設定回路１２７をさらに備える。
【００８８】
キャリア周波数変更回路１２５は、インバータ装置１０４のスイッチング素子の寿命進行や放熱能力低下による当該スイッチング素子の保護を要すると判定された場合に、インバータ装置のスイッチング素子のキャリア周波数を判定前の値に対して減少させる。
【００８９】
キャリア周波数設定回路１２４は、キャリア周波数変更回路１２５による制御パラメータであるキャリア周波数を内部メモリに記憶する。このキャリア周波数は、インバータ装置１０４に搭載されているスイッチング素子の保護を要しない場合のキャリア周波数ｆａおよび保護を要する場合のためのキャリア周波数ｆｂ（＜ｆａ）をそれぞれ含む。
【００９０】
荷重／速度設定回路１２６は、制御用マイコン１１５による制御パラメータである、乗りかご１０６の最大許容荷重値、および走行速度の平均値や最高値を内部メモリに記憶する。
【００９１】
この最大許容荷重値は、インバータ装置１０４に搭載されているスイッチング素子の保護を要しない場合の最大許容荷重値である第１の最大許容荷重値、および保護を要する場合の最大許容荷重値で第１の最大許容荷重値より低い第２の最大許容荷重値をそれぞれ含む。この低い最大許容荷重値の条件で運転を行なった場合、インバータ装置１０４のスイッチング素子にかかる発熱量が軽減されるので、当該素子にかかる熱応力が軽減される。
【００９２】
また、走行速度の平均値や最高値は、インバータ装置１０４に搭載されているスイッチング素子の保護を要しない場合の走行速度の平均値、最高値、および保護を要する場合の走行速度の平均値、最高値をそれぞれ含む。ここで説明した、保護を要する場合の走行速度の平均値、最高値は、保護を要しない場合の走行速度の平均値、最高値より低い。このような低い走行速度で運転を行なった場合、インバータ装置１０４のスイッチング素子にかかる発熱量が軽減されるので当該素子にかかる熱応力が軽減される。
【００９３】
保護レベル設定回路１２７は、インバータ装置１０４に搭載されているスイッチング素子の保護を要するか否かの判定基準である所定の保護レベルの値を内部メモリに記憶する。この保護レベルの値は、電圧測定回路１０９による測定値が当該保護レベルの値を超える場合に、インバータ装置１０４に搭載されているスイッチング素子の寿命進行や放熱能力低下によりスイッチング素子の保護を要するために、スイッチング素子のキャリア周波数の変更、荷重制限、速度制限を行なう必要がある事を示すものである。
【００９４】
図１２は、第５の実施形態におけるエレベータ制御装置のインバータ装置のスイッチング素子の空冷のための処理動作の一例を示すフローチャートである。  
以後説明する動作のうち、本実施形態における特徴的な動作である、インバータ装置のスイッチング素子の寿命進行や放熱能力低下による当該スイッチング素子の保護を要すると場合に、スイッチング素子のキャリア周波数を減少させて、荷重制限および速度制限を行なう動作は、以下のステップＳ５１、Ｓ５２、Ｓ５３、Ｓ５４、Ｓ５５の動作である。  
本実施形態では、当初は、まず、第３の実施形態で説明した、エレベータ設置時の電圧初期値の測定、および、ステップＳ１、Ｓ２１、Ｓ２、Ｓ２２、Ｓ３１、Ｓ３２の動作である、寿命診断運転モードの設定、スイッチング素子に印加するゲート−エミッタ間電圧の変更、寿命診断運転の開始、スイッチング素子のコレクタ−エミッタ間の電圧の測定、スイッチング素子の温度検出、電圧測定値の補正がなされる。
【００９５】
制御用マイコン１１５は、寿命診断運転モードの設定を行なったことを示す信号をキャリア周波数変更回路１２５および荷重／速度設定回路１２６に出力する。そして、本実施形態における特徴的な動作として、比較回路１１０は、保護レベル設定回路１２７に記憶されている、スイッチング素子のコレクタ−エミッタ間電圧の保護レベルの値を読み出す（ステップＳ５１）。
【００９６】
次に、比較回路１１０は、電圧測定回路１０９により測定した電圧値が保護レベルを超えるか否かを判定する（ステップＳ５２）。  
比較回路１１０は、スイッチング素子のコレクタ−エミッタ間電圧の測定値が保護レベルの値以下である場合は（ステップＳ５２のＮＯ）、スイッチング素子の保護のためのキャリア周波数変更、荷重／速度制限を要しないとの判定結果を制御用マイコン１１５に出力する。
【００９７】
制御用マイコン１１５が、この判定結果を入力した場合、第２の実施形態で説明したステップＳ２３、Ｓ２４、Ｓ６、Ｓ７、Ｓ８の動作である、電圧測定値と電圧初期値との比較によるスイッチング素子の寿命進行や放熱能力低下の有無の判定、および判定結果に応じた、ファン１０８の可変制御、異常発報または通常運転への復帰のいずれかの動作がなされる。
【００９８】
一方、比較回路１１０は、スイッチング素子のコレクタ−エミッタ間電圧の測定値が保護レベルの値を超える場合は（ステップＳ５２のＹＥＳ）、スイッチング素子の保護のためのキャリア周波数変更、荷重／速度制限を要するとの判定結果を制御用マイコン１１５を介して異常発報回路１１６、キャリア周波数変更回路１２５、荷重／速度設定回路１２６、ファン制御回路１１１に出力する。
【００９９】
ファン制御回路１１１は、この判定結果を入力すると、ファン制御設定回路１１２に記憶される、インバータ装置１０４に搭載されているスイッチング素子の寿命進行や放熱能力低下にある場合のためのファン回転数をファン１０８の制御パラメータとして読み出し、この制御パラメータにしたがって、判定前に比して高い回転数でファン１０８を駆動する。
【０１００】
そして、キャリア周波数変更回路１２５は、比較回路１１０からの判定結果を入力すると、キャリア周波数設定回路１２４から、インバータ装置１０４に搭載されているスイッチング素子の保護を要する場合のためのキャリア周波数ｆｂ（＜ｆａ）を読み出し、スイッチング素子のキャリア周波数のｆｂへの変更指示をゲート電圧切替え回路１１９に出力する。ゲート電圧切替え回路１１９は、変更指示にしたがって、インバータ装置１０４内のスイッチング素子のキャリア周波数をｆｂに減少させる（ステップＳ５３）。キャリア周波数の減少により、運転に係るインバータ装置１０４の負荷が減少するので、キャリア周波数の減少前に比して、インバータ装置１０４内のスイッチング素子の発熱量が減少する。
【０１０１】
そして、荷重／速度設定回路１２６は、比較回路１１０からの判定結果を入力すると、スイッチング素子の保護を要する場合の最大許容荷重値である第２の最大許容荷重値、同じく保護を要する場合の走行速度の平均値、最高値を制御用マイコン１１５に出力する。
【０１０２】
制御用マイコン１１５は、荷重／速度設定回路１２６からの最大許容荷重値、走行速度の平均値、最高値の条件を満たすように運転制御を行なう（ステップＳ５４）。この場合、制御用マイコン１１５は、この平均値、最高値の条件を満たすように速度パターンを生成する。速度の低下により、運転に係るインバータ装置１０４の負荷が減少するので、スイッチング素子のキャリア周波数を減少させた場合と同じく、当該スイッチング素子の発熱量が減少する。
【０１０３】
また、乗りかご１０６の着床時に当該最大許容荷重値を超える荷重を図示しない荷重検出装置により検出した場合には、戸閉を行なわずに、図示しないアナウンス装置により最後に乗車した乗客の降車を促すアナウンスを行なう。よって、乗りかご１０６の積載量が減少することになり、運転に係るインバータ装置１０４の負荷が減少するので、当該スイッチング素子の発熱量が減少する。
【０１０４】
また、異常発報回路１１６は、比較回路１１０からの判定結果を入力すると、建物内の監視室や遠隔監視センタに対し、インバータ装置１０４に搭載されているスイッチング素子の特性異常を示す異常発報を行なう（ステップＳ５５）。
【０１０５】
以上のように、第５の実施形態におけるエレベータ制御装置では、エレベータ設置後の寿命診断運転時のインバータ装置の素子の電圧の測定結果をもとに、インバータ装置のスイッチング素子の保護を要するか否かを判定し、保護を要すると判定された場合に、スイッチング素子のキャリア周波数を減少させて、荷重／速度制限を行なうことで、スイッチング素子の発熱量を減少させることができるので、保守員によって当該スイッチング素子の修理、交換がされるまで運転継続させることが可能となる。
【０１０６】
これらの各実施形態によれば、インバータ装置のスイッチング素子の寿命進行や放熱性能低下による破損を未然に防止することが可能になるエレベータ制御装置を提供することができる。  
発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれるとともに、特許請求の範囲に記載された発明とその均等の範囲に含まれる。
【符号の説明】
【０１０７】
１０１…商用三相交流電源、１０２…コンバータ装置、１０３…平滑コンデンサ、１０４…インバータ装置、１０５…電動機、１０６…乗りかご、１０７…カウンタウェイト、１０８…ファン、１０９…電圧測定回路、１１０…比較回路、１１１…ファン制御回路、１１２…ファン制御設定回路、１１３…電圧設定回路、１１４…記憶装置、１１５…制御用マイコン、１１６…異常発報回路、１１７…遠隔点検回路、１１８…ゲート電圧設定回路、１１９…ゲート電圧切替え回路、１２０…温度センサ、１２１…電圧補正設定回路、１２２…電圧補正回路、１２３…温度検出回路、１２４…キャリア周波数設定回路、１２５…キャリア周波数変更回路、１２６…荷重／速度設定回路、１２７…保護レベル設定回路。
【図１】
2013023357.tif 000003
【図２】
2013023357.tif 000004
【図３】
2013023357.tif 000005
【図４】
2013023357.tif 000006
【図５】
2013023357.tif 000007
【図６】
2013023357.tif 000008
【図７】
2013023357.tif 000009
【図８】
2013023357.tif 000010
【図９】
2013023357.tif 000011
【図１０】
2013023357.tif 000012
【図１１】
2013023357.tif 000013
【図１２】
2013023357.tif 000014